(57)【特許請求の範囲】
【請求項１】
１対の垂直な壁面を有するフレームにパネルを固定するためのものであって、
前記フレームに垂直に係合して配置されるべき１対の平坦な垂直壁と前記フレームに固定すべきフレーム固定部とを有し、
前記１対の垂直壁のうちの一方の垂直壁に、前記パネルを固定すべきパネル固定部を有するパネル固定具において、
前記フレーム固定部は、前記１対の垂直壁の中間位置から前記パネルを固定すべき前記一方の垂直壁側に変位して設けられていること、および、
前記フレームにパネル固定具が取り付けられたときの前記１対の壁面と前記１対の垂直壁について、一方の壁面とその壁面側にある一方の垂直壁とのなす平行間隔が、他方の壁面とその壁面側にある他方の垂直壁とのなす平行間隔よりも大きいという関係を満足させるものであること
を特徴とするパネル固定具。
【請求項２】
請求項１に記載のパネル固定具であって、前記１対の垂直壁の外面間の幅寸法は、他方の垂直壁が前記フレームの相応する壁面に一致するように設定されていることを特徴とするパネル固定具。
【請求項３】
請求項１又は２に記載のパネル固定具であって、前記１対の垂直壁の外面間の幅寸法は、前記一方の垂直壁に固定されるべきパネルが前記フレームの相応する壁面に一致するように設定されていることを特徴とするパネル固定具。
【請求項４】
１対の垂直な壁面を有するフレームに固定すべきフレーム固定部を有するパネル固定具本体を備えているとともに、
前記パネル固定具本体に被せられて前記パネル固定具本体の外面に係合する外壁と、前記パネル固定具本体を覆い前記フレームに垂直に係合して配置されるべき１対の平坦な垂直壁と前記外壁に設けられ前記パネル固定具本体に固定されるべきカバー固定部とから成るカバーを備え、
前記カバーにおける一方の垂直壁が、前記フレームにパネルを固定すべきパネル固定部を有するパネル固定具において、
前記カバー固定部は、前記カバーを前記１対の垂直壁の外面間の中間位置から前記パネルを固定すべき前記一方の垂直壁側に変位して設けられていること、および、
前記フレームにパネル固定具が取り付けられたときの前記１対の壁面と前記１対の垂直壁について、一方の壁面とその壁面側にある一方の垂直壁とのなす平行間隔が、他方の壁面とその壁面側にある他方の垂直壁とのなす平行間隔よりも大きいという関係を満足させるものであること
を特徴とするパネル固定具。
【請求項５】
請求項４に記載のパネル固定具であって、前記１対の垂直壁の外面間の幅寸法は、他方の垂直壁が前記フレームの相応する壁面に一致するように設定されていることを特徴とするパネル固定具。
【請求項６】
請求項４又は５に記載のパネル固定具であって、前記１対の垂直壁の外面間の幅寸法は、前記一方の垂直壁に固定されるべきパネルが前記フレームの相応する壁面に一致するように設定されていることを特徴とするパネル固定具。
【請求項７】
請求項１乃至６のいずれかに記載のパネル固定具を用いて前記パネルが前記フレームに固定されていることを特徴とするパネル固定装置。
【発明の詳細な説明】
【技術分野】
【０００１】
本発明は、フレームにパネルを固定するパネル固定具及びパネル固定装置に関し、更に詳細に述べると、パネル固定具のフレーム固定部が固定されるべき被固定部が幅方向の中央に有するフレームにパネルを固定するのに特に好適なパネル固定具及びパネル固定装置に関するものである。
【背景技術】
【０００２】
この種のパネル固定具は、例えば、隣り合う２つの溝付きフレームを直交状に配置してこれらの溝付きフレームを相互に固定しつつ、これらの溝付きフレームの一方の側面に合わせてパネルを固定するのに用いられている（特許文献１及び２参照）。
【０００３】
このパネル固定具は、この固定具本体に被せられて固定具本体の外面に係合する外壁と、固定具本体を覆い溝付きフレームに係合する１対の垂直壁と、外壁に設けられ固定具本体の外面にねじ込まれるべきねじを貫通すべきねじ貫通孔とから成っている（特許文献１及び２参照）。
【０００４】
従来技術のこの種のカバーは、特許文献１の図１の左側の部分や特許文献２の図２に示すように、カバー（特許文献１の符号４、特許文献２の符号２で示されたもの）が固定具本体（特許文献１の符号３、特許文献２の符号３で示されたもの）と同じ幅を有し、カバーのねじ貫通孔は、固定具本体のねじ孔に対応して中心合わせして形成されている。
【０００５】
溝付きフレーム（特許文献１の符号１及び２、特許文献２の符号Ａ、Ｂで示されたもの）は、幅方向の中間に係入溝を有し、固定具本体は、この中間位置の係入溝に合わせて係入される係入突条を有し、固定具用カバーは、溝付きフレームの一壁面に一致させてパネルを取り付けるために、溝付きフレームの一壁面からパネルの厚み分だけ内側で終わっているのが通常であり、従ってカバーは、パネルが取り付けられない溝付きフレームの他方の壁面からも同様にパネルの厚み分だけ手前で終わっている。
【０００６】
しかし、このような構造のパネル固定具は、カバーの幅が溝付きフレームの幅よりもパネルの厚みの２倍の寸法に相応する寸法分だけ狭い上に、パネル取付け側とは反対側でカバーが溝付きフレームから内側に引っ込んでいるので、固定具の安定性が悪い上に、取付け強度が低い欠点があった。
【０００７】
なお、パネル固定具がカバー付きでなく、このパネル固定具がフレームの幅方向の中央に上記の係入溝と係入突条との噛み合い又はねじ等の固定手段でフレームに固定してパネルを固定する従来技術のパネル固定具（例えば、特許文献１の図４参照）でも上記と同様の欠点を有する。
【０００８】
【特許文献１】特許第３４８４１５０号公報
【特許文献２】特開２００５−２９１３６２号公報
【発明の開示】
【発明が解決しようとする課題】
【０００９】
本発明が解決しようとする１つの課題は、パネル固定具を安定して高い強度でフレームに固定することができ、従ってパネルをフレームに高い強度で固定することができるようにしたパネル固定具を提供することにある。
【００１０】
本発明が解決しようとする他の課題は、パネル固定具を安定して高い強度でフレームに固定することができ、従ってパネルをフレームに高い強度で固定することができるようにしたパネル固定装置を提供することにある。
【課題を解決するための手段】
【００１１】
本発明の第１の課題解決手段は、フレームにパネルを固定するためのものであって、フレームに垂直に係合して配置されるべき１対の垂直壁とフレームに固定すべきフレーム固定部とを有し、この１対の垂直壁の一方の垂直壁にパネルを固定すべきパネル固定部を有するパネル固定具において、フレーム固定部は、１対の垂直壁の中間位置からパネルを固定すべき一方の垂直壁側に変位して設けられていることを特徴とするパネル固定具を提供することにある。
【００１２】
本発明の第１の課題解決手段において、１対の垂直壁の外面間の幅寸法は、他方の垂直壁がフレームの相応する壁面に一致するように設定されているのが好ましく、更に一方の垂直壁に固定されるべきパネルがフレームの相応する壁面に一致するように設定されているのが好ましい。
【００１３】
本発明の第２の課題解決手段は、フレームに固定すべきフレーム固定部を有するパネル固定具本体と、このパネル固定具本体に被せられてパネル固定具本体の外面に係合する外壁とパネル固定具本体を覆いフレームに垂直に係合して配置されるべき１対の垂直壁と外壁に設けられパネル固定具本体に固定されるべきカバー固定部とから成るカバーとを備え、このカバーの一方の垂直壁は、フレームにパネルを固定すべきパネル固定部を有するパネル固定具において、カバー固定部は、カバーの１対の垂直壁の外面間の中間位置からパネルを固定すべき一方の垂直壁側に変位して設けられていることを特徴とするパネル固定具を提供することにある。
【００１４】
本発明の第２の課題解決手段において、固定具本体は、カバーの幅寸法よりも小さな幅寸法を有し、フレーム固定部は、幅方向の中央に設けられていて固定具本体とカバーとは、幅方向に隙間を有する形態とすることができる。
【００１５】
また、本発明の第２及び第３の課題解決手段において、１対の垂直壁の外面間の幅寸法は、他方の垂直壁の外面がフレームの相応する壁面に一致するように設定されているのが好ましく、更に一方の垂直壁に固定されるべきパネルがフレームの相応する壁面に一致するように設定されているのが好ましい。
【００１６】
本発明の第４の課題解決手段は、第１又は第２の課題解決手段によるパネル固定具を用いてパネルがフレームに固定されていることを特徴とするパネル固定装置を提供することにある。
【発明の効果】
【００１７】
本発明によると、パネル固定具のフレーム固定部又はパネル固定具用カバーのカバー固定部は、１対の垂直壁の中間位置からパネルを固定すべき一方の垂直壁側に変位して設けられているので、パネル及びパネル固定具は、高度の安定性と高い強度でフレームに固定することができる。
【００１８】
特に、パネル固定具の１対の垂直壁間又はパネル固定具用カバーの１対の垂直壁の外面間の幅寸法は、他方の垂直壁がフレームの相応する壁面に一致するように設定され、更に一方の垂直壁に固定されるべきパネルがフレームの相応する壁面に一致するように設定されていると、パネルとその固定具がフレームの幅方向の全面に対応して固定されるので、パネルとその固定具とが一層高い強度で安定してフレームに固定することができる。
【発明を実施するための最良の形態】
【００１９】
本発明の好ましい実施の形態によるパネル固定具の使用状態が図１乃至図３に示されている。図示の使用状態では、パネル固定具１０は、２つの直交する溝付きフレーム１０１、１０２の隅に取り付けられ、パネル２００は、このパネル固定具１０に固定して溝付きフレーム１０１、１０２に取り付けられている。
【００２０】
溝付きフレーム１０１、１０２は、図２及び図３から解るように、断面正方形のフレーム本体１００Ｂの４つの面に縦方向に延びるように形成された断面矩形状の４つの係入溝１００Ｇを有し、各係入溝１００Ｇは、外面に溝の幅よりも小さな開口１００ＧＯを有する。
【００２１】
パネル固定具１０は、溝付きフレーム１０１、１０２の隅に取り付けられるべき図３（Ａ）及び図４に示すパネル固定具本体２０と、このパネル固定具本体２０を覆ってパネル固定具本体２０と溝付きフレーム１０１、１０２とをねじ４０によって相互に締め付けるべき図３（Ｂ）及び図５に示すカバー３０とから成っている。
【００２２】
パネル固定具本体２０は、図３及び図４に示すように、カバー３０をねじ止めすべきねじ孔２２Ｈを有する中央部分２２と、この中央部分２２の前後に設けられて溝付きフレーム１０１、１０２の直交する面に渡って斜めに交差するように延びる略直角三角形状の１対の前後の垂直壁２４Ｆ、２４Ｂ（図３参照）と、溝付きフレーム１０１、１０２に固定すべきフレーム固定部２６（図４参照）とから成っている。
【００２３】
図示の例では、フレーム１０１、１０２が係入溝１００Ｇを有するので、フレーム固定部２６は、略直角三角形状の１対の垂直壁２４Ｆ、２４Ｂの水平辺と垂直辺とに相応する縁に設けられて溝付きフレーム１０１、１０２の隣接する各１つの係入溝１００Ｇに係入する２つの脚部２６ＦＬ、２６ＢＬから成っているが、フレーム１０１、１０２が溝付きでない場合には、フレーム固定部２６は、例えば、ねじ止めすべきねじがそれぞれ貫通するねじ貫通孔であってもよい（図９参照）。
【００２４】
中央部分２２は、図４に示すように、ねじ孔２２Ｈを有する本体部分２２Ｍと、この本体部分２２Ｍの上面から間隔をあけてその前後面を覆う逆Ｕ字形（左右から観察して）の覆板２２Ｃとから成り、図４から解るように、１対の垂直壁２４Ｆ、２４Ｂは、本体部分２２Ｍを貫通する貫通孔２４Ｈを有し、本体部分２２Ｍに摺動自在に係合して本体部分２２Ｍと覆板２２Ｃとの間の空間内に保持されている。従って、１対の垂直壁２４Ｆ、２４Ｂは、中央部分２２の本体部分２２Ｍと覆板２２Ｃとの間で相互に接近したり離反したりするように移動することができるようになっている。
【００２５】
１対の前後の垂直壁２４Ｆ、２４Ｂの中央部分２２の本体部分２２Ｍから下方に延びた壁部分の間には、ばね２８が設けられ、このばね２８は、１対の垂直壁２４Ｆ、２４Ｂを通常では相互に離反する方向に付勢している。なお、図４において符号２４ＦＰ、２４ＢＰは、それぞればね２６の両端が止められる浮き出し突起である。
【００２６】
このパネル固定具本体２０は、図２及び図３に示すように、フレーム固定部２６である１対の前後の垂直壁２４Ｆ、２４Ｂの脚部２６ＦＬ、２６ＢＬをフレーム１０１、１０２の係入溝１００Ｇの開口１００ＧＯを通して溝付きフレーム１０１、１０２の係入溝１００Ｇに係入してフレーム１０１、１０２の隅に取り付けられている。この際、１対の垂直壁２４Ｆ、２４Ｂは、ばね２８に抗して相互に接近するように移動することができるので、脚部２６ＦＬ、２６ＢＬは、フレーム１０１、１０２の係入溝１００Ｇ内に容易に係入することができることが解る。
【００２７】
図３及び図４の固定具本体２０は、特許文献２の固定ユニット３と称される部材と同じ構造を有するが、特許文献１のインナージョイント３と称されるものと同様に、前後の垂直壁が中央部分２２に固定して取り付けられているような構造を有していてもよい。この場合には、脚部２６ＦＬ、２６ＢＬは、フレーム１０１、１０２の端面から係入溝１００Ｇに係入することになる。
【００２８】
カバー３０は、パネル固定具本体２０に被せられて固定具本体２０の外面に係合する外壁３２と、パネル固定具本体２０を覆い溝付きフレーム１０１、１０２に垂直に係合して配置されるべき１対の前後の壁３４Ｆ、３４Ｂと、外壁３２に設けられパネル固定具本体２０に固定されるべきカバー固定部３６とから成っている。
【００２９】
図示の形態では、カバー固定部３６は、固定具本体２０の中央部分２２の本体部分２２Ｍのねじ孔２２Ｈにねじ込まれるべきねじ４０が貫通するねじ貫通孔３６Ｈから成っている。
【００３０】
図５に示すように、カバー３０は、外壁３２の両端が内向きに（フレーム１０１，１０２に向けて）傾斜しており、また外壁３２の内面から垂直に延びパネル固定具本体２０の中央部分２２の両側に係合する係合片３８を有する。また、外壁３２の両側傾斜部分の先端には溝付きフレーム１０１、１０２の溝の開口１００ＧＯに係入してカバー３０を溝付きフレーム１０１、１０２に位置決めする位置決め突起３２Ｐが設けられている。
【００３１】
カバー固定部３６であるねじ貫通孔３６Ｈは、１対の垂直壁３４Ｆ、３４Ｂの外面間の中間位置からパネル２００を固定すべき一方の垂直壁（前方の垂直壁）３４Ｆ側に変位して設けられている。
【００３２】
図示の形態では、後方の垂直壁３４Ｂが溝付きフレーム１０１、１０２の相応する外側面１０１Ｓ１、１０２Ｓ１に一致し、他方の垂直壁（前壁）３４Ｆがパネル２００の厚みに相応する寸法分だけ溝付きフレーム１０１、１０２の他方の外側面１０１Ｓ２、１０２Ｓ２の内側で終わるように、中間位置から垂直壁３４Ｆ側に変位してねじ貫通孔３６Ｈが形成されている。
【００３３】
このカバー３０は、そのねじ貫通孔３６Ｈを通してねじ４０を固定具本体２０のねじ孔２２Ｈにねじ込んで固定具本体２０と共に溝付きフレーム１０１、１０２に固定される。
【００３４】
図２に示すように、パネル２００は、カバー３０の前方の垂直壁３４Ｆ側に設けられたねじ孔３４Ｈにねじ込まれるねじ５０によってパネル固定具１０に固定され、パネル固定具１０は、フレーム固定部２６である脚部２６ＦＬ，２６ＢＬによってフレーム１０１、１０２に固定されているので、パネル２００は、このパネル固定具１０を介してフレーム１０１、１０２に固定されていることになる。
【００３５】
上記の構成から解かるように、本発明のカバー３０は、溝付きフレーム１０１、１０２の幅Ｗ１００よりもパネル２００の厚みＴ２００分だけ小さく設定された幅（垂直壁３４Ｆ、３４Ｂの外面間の幅）Ｗ３０を有し（図４参照）、またそのカバー固定部３６であるねじ貫通孔３６Ｈは、カバー３０の一方の後壁３４Ｂが溝付きフレーム１０１、１０２の相応する外壁面１０１Ｓ１、１０２Ｓ１に一致し、またカバー３０に固定されるパネル２００が溝付きフレーム１０１、１０２の反対側の外壁面１０１Ｓ２、１０２Ｓ２に一致し、且つ固定具本体２０のねじ孔２２Ｈに対応するように、パネル固定用の前方の垂直壁３４Ｆ側に変位して前後非対称の位置となる。
【００３６】
このようにすると、カバー３０の幅Ｗ３０は、パネル２００の厚みＴ２００分だけ溝付きフレーム１０１、１０２の幅Ｗ１００よりも小さいだけであるので、固定具本体２０の外面間の幅寸法がカバー３０の垂直壁３４Ｆ、３４Ｂの内面間の幅寸法より小さくても、従来技術のように、パネル２００の取付け側とは反対側でパネル固定具１０が溝付きフレーム１０１、１０２の内側で終わることがなく、従ってパネル固定具１０は、高度の安定性と高い強度で溝付きフレーム１０１、１０２に固定することができる。
【００３７】
上記実施の形態では、固定具本体２０の外面間の幅寸法は、カバー３０の内面間の幅寸法よりも小さいので、図２及び図４から解るように、固定具本体２０とカバー３０との間にパネル２００の厚みＴ２００に相応する寸法の隙間Ｓが生ずるが、固定具本体２０は、カバー３０の１対の垂直壁３４Ｆ、３４Ｂの内面間と同じ幅を有していてもよく、この場合には、固定具本体２０のフレーム固定部２６もフレーム１０１、１０２の被固定部（図示の形態では係入溝１００Ｇ）の位置に合わせてパネル固定用カバーの前方の垂直壁３４Ｆ側に変位して形成される。
【００３８】
また、上記実施の形態では、パネル固定具１０の幅寸法（図１乃至５の形態ではカバー３０の幅寸法）とパネル２００の厚み寸法Ｔ２００とを加算した組み合わせ寸法がフレーム１０１、１０２の幅寸法Ｗ１００に相応するように設定されているが、上記組み合わせ寸法は、必ずしも、フレーム１０１、１０２の幅寸法Ｗ１００に相応することが要求されるものではなく、幅寸法Ｗ１００よりも若干小さくてもよく、いずれにしても、パネル固定部３６（場合によってはフレーム固定部２６も）がパネル固定側に変位してフレーム１０１、１０２の被固定部に対してパネル固定具とパネル２００との組み合わせ体が前後対称となるように配置されるようにする。
【００３９】
本発明の他の実施の形態が図６及び図７に示され、この実施の形態では、パネル固定具１０は、図１乃至図５の実施の形態のように、固定具本体２０とカバー３０とに分離しているのではなく、正面から見て直角三角形状の単一ブロック体１０Ｂから成っており、フレーム固定部１６は、このブロック体１０Ｂの水平底面と垂直側面とにそれぞれ設けられ溝付きフレーム１０１、１０２の係入溝１００Ｇに相応する形状である略Ｔ字形の脚部１６Ｌから成っている。なお、図６及び図７において、図１乃至図５と同じ符号は、同じ部分を示す。
【００４０】
この実施の形態では、フレーム固定部１６は、図７に示すように、前後の壁面１０ＦＷ、１０ＢＷの中間位置からパネル２００を固定すべき一方の壁面１０ＦＷ側に変位して設けられている。図７において、寸法「ａ」は、フレーム固定部１６の中心線からパネル固定側の壁面１０ＦＷまでの寸法、寸法「ｂ」は、フレーム固定部１６の中心線からパネル固定側とは反対側の壁面１０ＢＷまでの寸法を示し、上記のように、フレーム固定部１６がパネル固定側の前方の壁面１０ＦＷに変位しているので、「ｂ＞ａ」である。
【００４１】
この実施の形態でも、図１乃至図５の実施の形態と同様に、パネル固定具１０及びパネル２００をフレーム１０１、１０２に高い強度で安定して固定することができる。
【００４２】
図８及び図９は、本発明の更に他の実施の形態を示し、この実施の形態は、フレーム１０１、１０２が溝付きではなく、中空又は中実のフレームであり、パネル固定具１０は、フレーム固定部１６が図６及び図７の実施の形態の脚部ではなく、フレーム１０１、１０２のねじ孔１００Ｈにねじ込むべきねじ６０を貫通すべきねじ貫通孔１６Ｈから成っていることを除いて図６及び図７の実施の形態と同じである。フレーム固定部１６がパネル固定側の前方の壁面１０ＦＷよりに変位していることも同じである。
【００４３】
この実施の形態でも、図１乃至図５並びに図７及び図８の実施の形態と同様に、パネル固定具１０及びパネル２００をフレーム１０１、１０２に高い強度で安定して固定することができる。
【００４４】
図１０は、本発明の更に他の実施の形態を示し、この実施の形態では、パネル固定具１０は、直交する２つのフレーム１０１、１０２の隅に固定されるのではなく、水平な（又は垂直な）１つのフレーム１０１に固定され、パネル２００は、このパネル固定具１０に固定してフレーム１０１に取り付けられている。この実施の形態においては、パネル固定具１０は、直角三角形ではなく、矩形状であることを除いて図１乃至図５、図６及び図７又は図８及び図９の形態のいずれかの構造とすることができる。
【００４５】
図１乃至図５に示されたパネル固定具１０は、例えば、図１１に示すように、このパネル固定具１０のカバー３０の幅Ｗ３０とパネル２００の厚みＴ２００との合計寸法の幅を有するフレーム１０１、１０２よりも所定の寸法だけ幅広いフレーム１０１’、１０２’にも適用することができる。即ち、これらのフレーム１０１’、１０２’は、フレーム１０１、１０２よりもパネル２００の厚みの２倍の寸法分だけ幅広であると、図１１に示すように、図１乃至５とは反対側にパネル２００（但し、厚みは、図２のパネル２００と同じ場合）を固定してこの幅広のフレーム１０１’、１０２’に取り付けることができるため、パネル固定具１０を種々の寸法のフレームに適用することができるので有利である。なお、この場合には、カバー３０の後方の垂直壁３４Ｂ側にパネル２００をねじ止めすべきねじ孔３４Ｈ’を設けることが必要である。この場合には、フレーム１０１’、１０２’は、パネル固定具１０のパネル固定側とは反対側でパネル固定具を有しない部分が生ずる不利益があるが、例えば、パネル２００の重量が比較的小さく、上記の不利益を甘受しても種々の寸法のフレームに適用することができることを重視する場合には好適である。なお、図示の例では、ねじ孔３４Ｈ’は、肉厚部３４ＢＷに設けられている（図５（Ｄ）、（Ｆ）参照）。
【産業上の利用可能性】
【００４６】
本発明によれば、パネル固定具のフレーム固定部又はパネル固定具用カバーのカバー固定部は、両垂直壁の中間位置からパネルを固定すべき一方の垂直壁側に変位して設けられているので、パネル及びパネル固定具は、フレームの幅方向に対称的にして高度の安定性と高い強度でフレームに固定することができ、高い産業上の利用性を有する。
【図面の簡単な説明】
【００４７】
【図１】本発明の１つの実施の形態によるパネル固定具を使用して２つの直交する溝付きフレームにパネルを固定する状態のパネルを省略した正面図である。
【図２】図１の溝付きフレームにパネルを固定した状態の左側面図である。
【図３】本発明のパネル固定具の取付状態の斜視図であり、同図（Ａ）は、固定具本体を取り付けようとする状態、同図（Ｂ）は、その後カバーを取り付けようとする状態、同図（Ｃ）は、パネル固定具を固定し、更にパネルを固定した状態を一部破断して示している。
【図４】本発明のパネル固定具の取付状態の拡大垂直断面図である。
【図５】本発明のカバーを示し、同図（Ａ）は、その上面図、同図（Ｂ）は、その正面図、同図（Ｃ）は、その背面図、同図（Ｄ）は、その右側面図、同図（Ｅ）は、その下面図、同図（Ｆ）は、同図（Ａ）のＶ−Ｖ線断面図である。
【図６】本発明の他の実施の形態によるパネル固定具を使用して２つの直交する溝付きフレームを固定した状態を示し、同図（Ａ）は、パネルを省略した正面図、同図（Ｂ）は、パネルを断面にして示す右側面図である。
【図７】図６の溝付きフレームにパネルを固定するのに用いられるパネル固定具の斜視図である。
【図８】本発明の更に他の実施の形態によるパネル固定具を使用して２つの直交する溝なしフレームを固定した状態を示し、同図（Ａ）は、パネルを省略した正面図、同図（Ｂ）は、その右側面図である。
【図９】図８のフレームにパネルを固定するのに用いられるパネル固定具の斜視図である。
【図１０】本発明の更に他の実施の形態によるパネル固定具を使用して１つの溝付きフレームに固定した状態を示し、同図（Ａ）は、パネルを省略した正面図、同図（Ｂ）は、その右側面図である。
【図１１】図１乃至図５のパネル固定具の異なる使用例の図２に相応する図である。
【符号の説明】
【００４８】
１０  パネル固定具
１０Ｂ  ブロック体
１０ＦＷ、１０ＢＷ  前後の壁面
１６  フレーム固定部
１６Ｌ  脚部
１６Ｈ  ねじ貫通孔
２０  固定具本体
２２  中央部分
２２Ｍ  本体部分
２２Ｃ  覆板
２２Ｈ  ねじ孔
２２Ｇ  係入溝
２２Ｈ  ねじ孔
２４Ｆ、２４Ｂ  前後の垂直壁
２４ＦＰ、２４ＢＰ  ばねかけ用突起
２６  フレーム固定部
２６ＦＬ、２６ＢＬ  脚部
２８  ばね
３０  カバー
３２  外壁
３２Ｐ  位置決め突起
３２Ｈ  ねじ貫通孔
３４Ｆ、３４Ｂ  前後の垂直壁
３４ＢＷ  肉厚部
３４Ｈ、３４Ｈ’ねじ孔
３６  カバー固定部
３６Ｈ  ねじ貫通孔
３８  係合片
４０  ねじ
５０  ねじ
６０  ねじ
１００Ｂ  フレーム本体
１０１、１０２、１０１’、１０２’  溝付きまたは溝なしフレーム
１０１Ｓ１、１０２Ｓ１、１０１Ｓ２、１０２Ｓ２  フレームの外壁面
１００Ｇ  溝付きフレーム１０１、１０２、１０１’、１０２’係入溝
１００ＧＯ  溝１００Ｇの開口
２００  パネル
Ｗ２０  固定具本体２０の幅
Ｗ３０  カバー３０の幅
Ｗ１００  溝付きフレーム１０１、１０２の幅
Ｔ２００  パネル２００の厚み
【図１】
0004874883.tif 000002
【図２】
0004874883.tif 000003
【図３】
0004874883.tif 000004
【図４】
0004874883.tif 000005
【図５】
0004874883.tif 000006
【図６】
0004874883.tif 000007
【図７】
0004874883.tif 000008
【図８】
0004874883.tif 000009
【図９】
0004874883.tif 000010
【図１０】
0004874883.tif 000011
【図１１】
0004874883.tif 000012